(57)【要約】【課題】運行管理者がより精度の高い運行情報を容易に確認することができる運転情報出力装置を提供する。【解決手段】事務所ＰＣ３０は、カードＩ／Ｆ３５を通して乗務員カード６５に記憶された、デジタルタコグラフ１０の運行データを入力し、また、機器Ｉ／Ｆ４７またはカードＩ／Ｆ３５を介して、乗務員が行った、アルコール検査結果、日常点検結果、給油状況、出退勤等のデータを受け付ける。ＣＰＵ３１は、入力した運行データ及び受け付けた複数のデータを含む、乗務員毎の運転日報を作成し、表示部３３の画面に表示し、プリンタ４５で印刷する。【選択図】図１
2017010213.tif 000002
【特許請求の範囲】
【請求項１】
乗務員の運転記録情報を出力する運転情報出力装置であって、
車載器から運行情報を入力する入力部と、
複数の機器を用いて前記乗務員が行った運行に関する行為の情報を受け付ける受付部と、
入力した前記運行情報及び受け付けた複数の前記運行に関する行為の情報を含む、前記運転記録情報を作成する記録作成部と、
を備えることを特徴とする運転情報出力装置。
【請求項２】
前記入力部は、前記車載器以外の装置から、運行に関する追加情報を入力し、
前記記録作成部は、前記追加情報をさらに含む前記運転記録情報を作成する、
ことを特徴とする請求項１に記載の運転情報出力装置。
【請求項３】
複数の前記運行に関する行為の情報は、アルコール検査結果、日常点検、運行中の給油及び出退勤時刻の少なくとも１つを含む、
ことを特徴とする請求項１または２に記載の運転情報出力装置。
【請求項４】
運転情報出力装置が乗務員の運転記録情報を作成する運転情報作成方法であって、
車載器から運行情報を入力するステップと、
複数の機器を用いて前記乗務員が行った運行に関する行為の情報を受け付けるステップと、
入力した前記運行情報及び受け付けた複数の前記運行に関する行為の情報を含む、前記運転記録情報を作成するステップと、
を有することを特徴とする運転情報作成方法。
【発明の詳細な説明】
【技術分野】
【０００１】
本発明は、乗務員の運転記録情報を出力する運転情報出力装置及び運転情報作成方法に関する。
【背景技術】
【０００２】
従来、運行管理者は、デジタルタコグラフに記録された出入庫時刻、速度、走行距離等の情報を、ＰＣに備わる解析ソフトウェアで解析し、運転日報として乗務員の運行情報を得ていた。
【０００３】
また、この種の先行技術として、運行記録計にアルコール測定装置が接続され、アルコール濃度測定データを含む運行記録に関するデータを、運行記録計に備わるメモリカードに記録し、メモリカードに記録されたデータを管理コンピュータで解析し、運転日報に出力することが知られている（特許文献１参照）。
【先行技術文献】
【特許文献】
【０００４】
【特許文献１】特開２０１３−５４６９６号公報
【発明の概要】
【発明が解決しようとする課題】
【０００５】
しかしながら、従来の運転日報から得られる、乗務員の運行情報は、主に運行記録計から得られた基本的な情報であった。
車両を運行する際、乗務員は、アルコール検査や日常点検を行ったり、運行中に給油したり、点呼を受ける、出退勤時刻を入力する等、さまざまな運行に関する行為をしている。これらの行為は、乗務員の運行に影響があると考えられた。さらには、運行当日の天気等の情報も、運行に影響があると考えられた。
このような背景から、運行管理者には、単に運行記録計から得られる基本的な情報だけでなく、より精度の高い運行情報を容易に確認できる運転日報の作成が望まれた。
【０００６】
本発明は、上述した事情に鑑みてなされたものであり、その目的は運行管理者がより精度の高い運行情報を容易に確認することができる運転情報出力装置及び運転情報作成方法を提供することにある。
【課題を解決するための手段】
【０００７】
前述した目的を達成するために、本発明に係る運転情報出力装置は、下記（１）〜（３）を特徴としている。
（１）  乗務員の運転記録情報を出力する運転情報出力装置であって、
車載器から運行情報を入力する入力部と、複数の機器を用いて前記乗務員が行った運行に関する行為の情報を受け付ける受付部と、入力した前記運行情報及び受け付けた複数の前記運行に関する行為の情報を含む、前記運転記録情報を作成する記録作成部と、を備えること。
上記（１）の構成の運転情報出力装置によれば、作成される運転記録情報には、運行情報のほか、乗務員が行った複数の運行に関する行為の情報が含まれるので、運行管理者はより精度の高い運行情報を容易に確認することができる。これにより、運行管理者は乗務員に対し適正な運転指導を行える。また、乗務員は、自身が行った行為が運行情報にどのような影響を与えているかを知ることもでき、自身の運転技術の向上や運行管理に役立てることができる。
（２）  上記（１）の構成の運転情報出力装置であって、
前記入力部は、前記車載器以外の装置から、運行に関する追加情報を入力し、
前記記録作成部は、前記追加情報をさらに含む前記運転記録情報を作成する、こと。
上記（２）の構成の運転情報出力装置によれば、作成される運転記録情報には、運行情報以外の追加情報が含まれるので、運行管理者は、一見、運行データとは関係ないように思える気象情報などの追加情報を考慮して、さらに踏み込んで運行内容を検討することができる。
（３）  上記（１）または（２）の構成の運転情報出力装置であって、複数の前記運行に関する行為の情報は、アルコール検査結果、日常点検、運行中の給油及び出退勤時刻の少なくとも１つを含むこと。
上記（３）の構成の運転情報出力装置によれば、アルコール検査結果以外に、今まであまり運行管理に考慮されていなかった、日常点検、運行中の給油及び出退勤時刻の少なくとも１つが運転記録情報に含まれるので、運行管理者は、さらに踏み込んで運行内容を検討することができる。
また、前述した目的を達成するために、本発明に係る運転情報作成方法は、下記（４）を特徴としている。
（４）  運転情報出力装置が乗務員の運転記録情報を作成する運転情報作成方法であって、車載器から運行情報を入力するステップと、前記乗務員が行った運行に関する行為の情報を複数の機器から受け付けるステップと、入力した前記運行情報及び受け付けた複数の前記運行に関する行為の情報を含む、前記運転記録情報を作成するステップと、を有すること。
上記（４）の構成の運転情報作成方法によれば、作成される運転記録情報には、運行情報のほか、乗務員が行った複数の運行に関する行為の情報が含まれるので、運行管理者はより精度の高い運行情報を容易に確認することができる。これにより、運行管理者は乗務員に対し適正な運転指導を行える。また、乗務員は、自身が行った行為が運行情報にどのような影響を与えているかを知ることもでき、自身の運転技術の向上や運行管理に役立てることができる。
【発明の効果】
【０００８】
本発明によれば、運行管理者はより精度の高い運行情報を容易に確認することができる。これにより、運行管理者は乗務員に対し適正な運転指導を行える。
【０００９】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１０】
【図１】図１は、本発明の実施形態における運行管理システムの構成を示す図である。
【図２】図２は、運行データＤＢの登録内容を示すテーブルが表示された画面である。
【図３】図３は、アルコール検査結果ＤＢの登録内容を示すテーブルが表示された画面である。
【図４】図４は、運転日報作成手順を示すフローチャートである。
【図５】図５は、作成された運転日報の内容を示す図である。
【発明を実施するための形態】
【００１１】
以下、本実施形態に係る運転情報出力装置及び運転情報作成方法について図面を用いて説明する。本実施形態の運転情報出力装置は、車両の運行状況を管理する事務所に設置された汎用のコンピュータ装置（以下、事務所ＰＣという）で構成される。
【００１２】
図１は、本発明の実施形態における運行管理システム５の構成を示す図である。運行管理システム５は、ネットワーク（モバイル通信網、インターネット等のパケット通信網）７０を介して接続される、運行記録装置（以下、デジタルタコグラフという）１０及び事務所ＰＣ３０を備え、車両の運行状況を管理する。
【００１３】
デジタルタコグラフ１０は、車両に搭載され、出入庫時刻、走行距離、走行時間、走行速度、速度オーバー、エンジン回転数オーバー、急発進、急加速、急減速等の運行データを記録するものである。デジタルタコグラフ１０は、ＣＰＵ１１、メモリ２６、記録部１７、カードＩ／Ｆ１８、音声Ｉ／Ｆ１９、ＲＴＣ（時計ＩＣ）２１、アルコール検査器２９、ＳＷ入力部２２及びＬＥＤ表示部２７を有する。
【００１４】
ＣＰＵ１１は、デジタルタコグラフ１０の各部を統括的に制御する。メモリ２６は、ＣＰＵ１１によって実行される動作プログラム等を格納する。
【００１５】
記録部１７は、運行データを記録する。カードＩ／Ｆ１８には、乗務員が所持する乗務員カード（メモリカード）６５が挿抜自在に接続される。ＣＰＵ１１は、カードＩ／Ｆ１８に接続された乗務員カード６５に対し運行データ等のデータを書き込む。音声Ｉ／Ｆ１９には、内蔵のスピーカ２０が接続される。ＲＴＣ２１（計時部）は、現在時刻を計時する。ＳＷ入力部２２には、出庫ボタン、入庫ボタン等の各種ボタンのＯＮ／ＯＦＦ信号が入力される。ＬＥＤ表示部２７は、通信や動作の状態を表示する。アルコール検査器２９は、デジタルタコグラフ１０に着脱自在に搭載される可搬型のものであり、乗務員が運行中にセンサ部に息を吹き付けることで、アルコール濃度を計測し、アルコール濃度が閾値（例えば０．１５ｍｇ／Ｌ）以上であるか否かを検査する。
【００１６】
また、デジタルタコグラフ１０は、速度Ｉ／Ｆ１２Ａ、エンジン回転Ｉ／Ｆ１２Ｂ、外部入力Ｉ／Ｆ１３、センサ入力Ｉ／Ｆ１４、ＧＰＳ受信部１５、ＣＡＮ＿Ｉ／Ｆ１６、機器Ｉ／Ｆ２３、通信部２４及び電源部２５を有する。
【００１７】
速度Ｉ／Ｆ１２Ａには、車速センサからの速度パルスが入力される。エンジン回転Ｉ／Ｆ１２Ｂには、エンジン回転数センサからの回転パルスが入力される。外部入力Ｉ／Ｆ１３には、外部機器（図示せず）が接続される。センサ入力Ｉ／Ｆ１４には、エンジン温度（冷却水温）を検知する温度センサ、燃料量を検知する燃料量センサ、加速度（衝撃）を感知するＧセンサ等の信号が入力される。ＣＰＵ１１は、速度Ｉ／Ｆ１２Ａ、センサ入力Ｉ／Ｆ１４等を介して各種の運転状態を検出する。
【００１８】
ＧＰＳ受信部１５は、ＧＰＳアンテナ１５ａに接続され、現在位置（ＧＰＳ情報）を取得する。ＣＡＮ＿Ｉ／Ｆ１６には、ＣＡＮ（Controller Area Network）規格のネットワークに接続された車両内の各種デバイスが接続され、速度、エンジン、燃料量等の各種データが通信可能である。通信部２４は、ネットワーク７０を介して、事務所ＰＣ３０と通信を行う。電源部２５は、イグニッションスイッチのオンによりデジタルタコグラフ１０の各部に電力を供給する。
【００１９】
機器Ｉ／Ｆ２３には、乗務員が手で把持して操作可能なハンディ端末２８が接続される。ハンディ端末２８は、テンキー等の各種キーを有し、例えば画面に表示された日常点検の項目に従って、乗務員が日常点検を行った場合、各点検項目のチェックボックスにチェックマークを付けることで、乗務員による点検を行った行為（点検済）の情報を受け付ける。この他、乗務員が運行中に給油を行った場合、乗務員が給油に関するデータ（例えば、給油を行った日時、給油量等）をハンディ端末２８に入力することで、ハンディ端末２８は、給油に関するデータを受け付ける。
【００２０】
一方、事務所ＰＣ３０は、汎用のオペレーティングシステムで動作するＰＣである。事務所ＰＣ３０は、運行管理装置として機能し、ＣＰＵ３１、通信部３２、表示部３３、記憶部３４、カードＩ／Ｆ３５、操作部３６、出力部３７、音声Ｉ／Ｆ３８、機器Ｉ／Ｆ４７及び外部Ｉ／Ｆ４８を有する。
【００２１】
ＣＰＵ３１は、事務所ＰＣ３０の各部を統括的に制御する。通信部３２は、ネットワーク７０を介してデジタルタコグラフ１０と通信可能である。また、通信部３２は、ネットワーク７０に接続された、気象庁や民間の気象予報会社などの気象データベース（ＤＢ）８０と接続可能であり、必要な気象データを取得可能である。また、通信部３２は、乗務員等が所持するスマートフォン等の携帯端末６６と通信を行い、後述する運転日報等の表示データを送信するようにしてもよい。これにより、乗務員等は、自身の携帯端末６６で簡単に運転日報等を見ることができる。
【００２２】
表示部３３は、後述する運転日報等が提示される運行管理画面を表示する。記憶部３４は、動作プログラム等を格納する。カードＩ／Ｆ３５には、乗務員カード６５が挿抜自在に装着される。カードＩ／Ｆ３５は、デジタルタコグラフ１０によって計測され、乗務員カード６５に記憶された運行データを入力する。操作部３６は、キーボードやマウス等を有し、運行管理者の操作を受け付ける。出力部３７は、運転日報等のデータをプリンタ４５に出力する。プリンタ４５は、入力されたデータに従い、運転日報等を印刷する。音声Ｉ／Ｆ３８には、マイク４１及びスピーカ４２が接続される。
【００２３】
機器Ｉ／Ｆ４７には、出退勤管理装置５１及びアルコール検査器５２が接続される。出退勤管理装置５１は、現在日時を計時するタイマを有し、乗務員の出勤及び退勤時刻を管理するものであり、乗務員が出勤あるいは退勤の際、例えば乗務員カード６５をかざすことで、出勤時刻あるいは退勤時刻を記録する。アルコール検査器５２は、デジタルタコグラフ１０に搭載されたアルコール検査器２９と異なり、事務所ＰＣ３０の傍に設置される据え置き型のものであり、乗務員が出勤時にセンサ部に息を吹き付けることで、アルコール濃度を計測し、アルコール濃度が閾値（例えば０．１５ｍｇ／Ｌ）以上であるか否かを検査する。なお、アルコール検査は、事務所に設置されたアルコール検査器５２、及び車両に搭載されたアルコール検査器２９のいずれによっても行われる。従って、運行の前後及び運行中にも、アルコール検査が可能であり、酒気帯び運転等の判定が行われる。
【００２４】
外部Ｉ／Ｆ４８には、外部記憶装置（ストレージメモリ）５４が接続される。外部記憶装置５４は、乗務員情報データベース（ＤＢ）５５、運行データＤＢ５６、アルコール検査結果ＤＢ５７、日常点検ＤＢ５８及び給油ＤＢ５９を保持する。
【００２５】
乗務員情報ＤＢ５５には、乗務員毎に、乗務員識別情報（ＩＤ）、氏名、性別、年齢、身長、体重、勤続年数、家族構成、病歴等の情報が記録される。アルコール検査結果ＤＢ５７には、乗務員毎に、アルコール検査器２９，５２で検査された結果が記録される。
【００２６】
運行データＤＢ５６には、乗務員毎に、デジタルタコグラフ１０によって計測された１日毎の運行データが記録される。運行データとして、前述したように、出入庫時刻、速度、走行距離等に加え、急加減速、急ハンドル、速度オーバー、エンジン回転数オーバー等が挙げられる。図２は、運行データＤＢ５６の登録内容を示すテーブル９３が表示された画面である。この画面は表示部３３に表示される。テーブル９３の各レコードは、乗務員名，車両，出庫時刻，入庫時刻，作業内容，走行距離，急加減速，急ハンドル，速度オーバー，エンジン回転数オーバー等の情報を含む。
【００２７】
アルコール検査結果ＤＢ５７には、乗務員毎に、アルコール検査結果のデータが登録される。図３は、アルコール検査結果ＤＢ５７の登録内容を示すテーブル９５が表示された画面である。この画面は表示部３３に表示される。テーブル９５には、アルコール検査器２９，５２でアルコール濃度を測定した結果、アルコール濃度が０．１５ｍｇ／Ｌ（酒気帯び運転に相当）以上であった場合のデータの一覧が登録されている。アルコール濃度検査の結果は、合格（ＯＫ）及び不合格（ＮＧ）のいずれであっても、テーブルに登録される。このテーブルの各レコードは、乗務員名，測定場所，測定日，測定時刻，測定結果及び測定量のデータを含む。ここでは、測定場所が運行中となっており、乗務員が車室内で検査した結果が示されているが、事務所において検査した結果が示されてもよいことは前述したとおりである。つまり、アルコール検査器２９及びアルコール検査器５２のいずれで測定された結果も登録される。また、このテーブル９５には、アルコール検査結果が不合格であった場合のデータ及び合格であった場合のデータが登録されるが、乗務員の数が多いと、データ登録数が増大するので、その場合、不合格のデータだけを登録することも可能である。運行管理者は、このテーブル９５の一覧を見ることで、全乗務員の運行前後のアルコール測定結果を確認することができる。
【００２８】
日常点検ＤＢ５８には、乗務員毎に、各乗務員によって行われた日常点検の結果が記録される。乗務員は、日常点検の項目に従って点検を実施し、点検済みとなった項目については、ハンディ端末２８の画面に表示されたチェックボックスにチェックマークを付ける。デジタルタコグラフ１０は、ハンディ端末２８の画面に表示されたチェックボックスに付けられたチェックマークの有無によって日常点検の結果を取得し、乗務員カード６５に運行データとともに記憶する。日常点検の項目としては、ブレーキやタイヤの状態を調べること等が含まれる（図５の運転日報１００の下側の太枠１０１ｖで囲まれた内容を参照）。
【００２９】
給油ＤＢ５９には、乗務員毎に、運行中に自身が給油した給油データが記録される。乗務員は、運行中に給油を行うと、ハンディ端末２８を使って、給油量、給油時刻等の情報を入力する。デジタルタコグラフ１０は、ハンディ端末２８に入力された給油データを受け付けると、乗務員カード６５に運行データとともに記憶する。
【００３０】
ここで、上記各種のデータベースの記録内容は、乗務員ＩＤで紐付けされている。従って、運行管理者が乗務員ＩＤを事務所ＰＣ３０に対し入力すると、事務所ＰＣ３０は、乗務員ＩＤに紐付られた上記各種のデータベースの記録内容を取得可能である。
【００３１】
上記構成を有する運行管理システム５における事務所ＰＣ３０の動作を示す。各乗務員は、通常、事務所に出勤すると、出退勤管理装置５１に自身の乗務員カード６５をかざして出勤時刻を確定する。事務所ＰＣ３０は、出退勤管理装置５１から出勤の通知を受けると、運行データＤＢ５６にこの乗務員の出勤時刻を登録する。乗務員が出勤してから乗車するまでの間、乗務員は、前述したアルコール検査や日常点検等を行う。
【００３２】
この後、乗務員が乗車し、デジタルタコグラフ１０のカードＩ／Ｆ１８に乗務員カード６５を挿入し、ＳＷ入力部２２の出庫ボタンを押下すると、ＣＰＵ１１は、出庫時刻を乗務員カード６５に記憶し、運行データの記録を開始する。車両が出庫し、運行中、ＣＰＵ１１は、時系列に運行データを記録部１７に記録する。そして、１日の運行業務が終了し、車両が入庫し、乗務員がＳＷ入力部２２の入庫ボタンを押下すると、ＣＰＵ１１は、入庫時刻を乗務員カード６５に記憶し、運行データの記録を終了する。
【００３３】
運行業務の終了後、乗務員が事務所に出向き、事務所ＰＣ３０のカードＩ／Ｆ３５に乗務員カード６５を挿入すると、事務所ＰＣ３０は、乗務員カード６５に記憶された運行データ等の情報を読み込み、運行データＤＢ５６に登録する。
【００３４】
この後、乗務員が事務所を退勤する際、出退勤管理装置５１に自身の乗務員カード６５をかざして退勤時刻を確定する。事務所ＰＣ３０は、出退勤管理装置５１から退勤の通知を受けると、運行データＤＢ５６にこの乗務員の退勤時刻を登録する。
【００３５】
一方、運行管理者は、全ての乗務員の運行業務が終了すると、乗務員毎に運転日報の作成する業務を行う。図４は、運転日報作成手順を示すフローチャートである。事務所ＰＣ３０内のＣＰＵ３１は、運行データを解析する解析ソフトウェアを起動し、操作部３６を介して運行管理者から運転日報作成の指示があると、この指示に従い、乗務員の運転日報作成処理を開始する。
【００３６】
ＣＰＵ３１は、まず、運行管理者から操作部３６を介して乗務員ＩＤが入力されるまで待つ（Ｓ１）。なお、乗務員ＩＤが分からない場合、氏名を入力してもよく、この場合、ＣＰＵ３１は、乗務員情報ＤＢ５５を検索し、氏名に対応する乗務員ＩＤを取得する。
【００３７】
乗務員ＩＤが取得されると、ＣＰＵ３１は、乗務員ＩＤを用いて運行データＤＢ５６を検索し、乗務員ＩＤに対応する運行データを読み込む（Ｓ２）。続いて、ＣＰＵ３１は、アルコール検査結果ＤＢ５７に登録された、乗務員ＩＤに対応するアルコール検査結果を読み込む（Ｓ３）。続いて、ＣＰＵ３１は、日常点検ＤＢ５８に登録された、乗務員ＩＤに対応する日常点検結果を読み込む（Ｓ４）。続いて、ＣＰＵ３１は、給油ＤＢ５９に登録された、乗務員ＩＤに対応する給油データを読み込む（Ｓ５）。さらに、ＣＰＵ３１は、通信部３２を介してネットワーク７０に接続された気象ＤＢ８０にアクセスし、必要な日時の気象情報を読み込む（Ｓ６）。
【００３８】
ＣＰＵ３１は、これらのデータを基に、運転日報１００を作成する（Ｓ７）。ＣＰＵ３１は、作成された運転日報を運行管理者が視認可能なように出力する（Ｓ８）。具体的に、ＣＰＵ３１は、表示部３３の画面に運転日報１００を表示し、必要に応じてプリンタ４５で運転日報１００を印刷する。
【００３９】
図５は、作成された運転日報１００の内容を示す図である。運転日報１００の中央には、デジタルタコグラフ１０で計測された運行データの解析結果が配置されている。また、運転日報１００の周囲には、上記各種データベースから得られたデータが配置されている。例えば、運転日報１００の左上隅には、太枠１０１ｚで囲まれる、気象データに基づく天候が表示される。ここでは、「曇一時雨」と表示されている。なお、太枠１０１ｚは分かり易く説明するために描かれたものであり、実際の運転日報１００には表示されないが、運行データとは異なる情報であることを表すために、敢えて表示してもよい。以後の太枠においても同様である。
【００４０】
運転日報１００の右側上部には、太枠１０１ｙで囲まれる、出退勤時刻が表示される。また、太枠１０１ｙの下方には、太枠１０１ｘで囲まれる、出庫前と出庫後のアルコール検査結果が表示される。さらに、太枠１０１ｘの下方には、太枠１０１ｗで囲まれる、給油量表が表示される。この給油表には、運行中、乗務員が給油した給油データが登録されている。また、運転日報１００の下側には、太枠１０１ｖで囲まれる、日常点検内容が表示される。例えば、タイヤの点検項目として「空気圧は正常値であるか」が表示され、また、ブレーキの点検項目として「ブレーキランプは点灯するか」が表示される。日常点検の各項目には、チェックボックス１０３が配置され、点検済みの項目にはチェックマークが付加されている。
【００４１】
本実施形態の事務所ＰＣ３０は、カードＩ／Ｆ３５を通して乗務員カード６５に記憶された、デジタルタコグラフ１０の運行データを入力し、また、機器Ｉ／Ｆ４７またはカードＩ／Ｆ３５を介して、乗務員が行った、アルコール検査結果、日常点検結果、給油状況、出退勤等のデータを受け付ける。ＣＰＵ３１は、入力した運行データ及び受け付けた複数のデータを含む、乗務員毎の運転日報１００を作成し、表示部３３の画面に表示し、プリンタ４５で印刷する。
【００４２】
このように、運転日報には、アルコール検査結果のデータに加え、出退勤のデータ、日常点検のデータ、給油データ、天候データ等が反映される。運行管理者は、運転日報に記載された内容から、運行の基本情報以外の情報として、アルコール検査結果、出庫前の点検状況、乗務員の出入庫時間だけでなく勤怠管理、給油管理等を確認し、つまり、乗務員が行った運行に関する行為を確認し、運行内容をより詳細に検討することで、より精度の高い運行情報を容易に確認することができる。これにより、運行管理者は、運行中の給油の回数や量の多寡、日常点検項目のチェックミス等を把握し、これらの情報を踏まえて、乗務員に対しより適正な運転指導を行える。
【００４３】
また、乗務員は、自身が行った行為が運行データにどのような影響を与えているかを知ることもでき、自身の運転技術の向上や運行管理に役立てることができる。
【００４４】
また、運行情報以外の追加情報として、気象庁や民間気象予報会社の気象ＤＢから気象データを取得し、運転日報に天気を表示しておくことで、運行管理者は、一見、運行データとは関係ないように思える天候が運転に影響を与えているか否か等、運行情報以外の追加情報を考慮し、さらに踏み込んで運行内容を検討することができる。また、乗務員も同様に、天候が運転に与える影響等を知ることができる。
【００４５】
このように、アルコール検査結果や、今まで運行管理にあまり考慮されていなかった、日常点検、運行中の給油及び出退勤時刻の少なくとも１つが運転日報に含まれるので、運行管理者は、さらに踏み込んで運行内容を検討することができる。また、アルコール検査結果については、デジタルタコグラフ１０に接続されたアルコール検査器２９の検査結果のみならず、事務所ＰＣ３０に接続されたアルコール検査器５２からアルコール検査結果ＤＢ５７に記録されたデータを運転日報に含ませることができる。
【００４６】
尚、本発明の技術的範囲は、上述した実施形態に限定されるものではない。上述した実施形態は、本発明の技術的範囲内で種々の変形や改良等を伴うことができる。
【００４７】
例えば、乗務員が運行に関する行為としては、上記の他に、免許読取装置に免許証を読み取らせる行為等が挙げられる。
【００４８】
また、上記実施形態では、デジタルタコグラフで記録された運行データ等は、乗務員カードに記憶され、乗務員カードを介して事務所ＰＣに読み込まれたが、通信部を用いたネットワーク経由で無線通信などの通信により事務所ＰＣに送信されてもよい。
【００４９】
また、上記実施形態では、事務所ＰＣが運転日報を作成していたが、デジタルタコグラフ等の車載器が、運行データ以外の上記各種データを入力し、解析ソフトウェアを用いて解析し、その結果を基に運転日報を作成し、ディスプレイに表示する機能を有してもよい。この場合、車載器が運転情報出力装置に相当する。
【００５０】
また、乗務員が所持する携帯端末（スマートフォン，タブレット）は、デジタルタコグラフから送信される運行データを受信し、運行データ以外の上記各種データを入力し、解析ソフトウェアを用いて解析し、その結果を基に運転日報を作成し、ディスプレイに表示するようにしてもよい。この場合、携帯端末が運転情報出力装置に相当する。
【００５１】
また、上記実施形態では、運転日報を作成する場合を示したが、運転日報に限らず、週間や月間の運転記録報告書等、各種の書類を作成する場合にも、本発明は同様に適用可能である。
【００５２】
ここで、上述した本発明に係る運転情報出力装置及び運転情報作成方法の実施形態の特徴をそれぞれ以下［１］〜［４］に簡潔に纏めて列記する。
［１］  乗務員の運転記録情報（運転日報１００）を出力する運転情報出力装置（事務所ＰＣ３０）であって、
車載器（デジタルタコグラフ１０）から運行情報を入力する入力部（カードＩ／Ｆ３５）と、
複数の機器（アルコール検査器５２，ハンディ端末２８）を用いて前記乗務員が行った運行に関する行為の情報（アルコール検査結果，日常点検結果）を受け付ける受付部（機器Ｉ／Ｆ４７，カードＩ／Ｆ３５）と、
入力した前記運行情報及び受け付けた複数の前記運行に関する行為の情報を含む、前記運転記録情報を作成する記録作成部（ＣＰＵ３１）と、
を備えることを特徴とする運転情報出力装置。
［２］  前記入力部は、前記車載器以外の装置（気象ＤＢ８０）から、運行に関する追加情報（気象データ）を入力し、
前記記録作成部は、前記追加情報をさらに含む前記運転記録情報を作成する、
ことを特徴とする上記［１］に記載の運転情報出力装置。
［３］  複数の前記運行に関する行為の情報は、アルコール検査結果、日常点検内容、運行中の給油及び出退勤時刻の少なくとも１つを含む、
ことを特徴とする上記［１］または［２］に記載の運転情報出力装置。
［４］  運転情報出力装置が乗務員の運転記録情報を作成する運転情報作成方法であって、
車載器から運行情報を入力するステップと、
複数の機器を用いて前記乗務員が行った運行に関する行為の情報を受け付けるステップと、
入力した前記運行情報及び受け付けた複数の前記運行に関する行為の情報を含む、前記運転記録情報を作成するステップと、
を有することを特徴とする運転情報作成方法。
【符号の説明】
【００５３】
５  運行管理システム
１０  デジタルタコグラフ（運行記録装置）
１１、３１  ＣＰＵ
１２Ａ  速度Ｉ／Ｆ
１２Ｂ  エンジン回転数Ｉ／Ｆ
１３  外部入力Ｉ／Ｆ
１４  センサ入力Ｉ／Ｆ
１５  ＧＰＳ受信部
１５ａ  ＧＰＳアンテナ
１６  ＣＡＮ＿Ｉ／Ｆ
１７  記録部
１８  カードＩ／Ｆ
１９  音声Ｉ／Ｆ
２０、４２  スピーカ
２１  ＲＴＣ
２２  ＳＷ入力部
２３、４７  機器Ｉ／Ｆ
２４、３２  通信部
２５  電源部
２６  メモリ
２７  ＬＥＤ表示部
２８  ハンディ端末
２９、５２  アルコール検査器
３０  事務所ＰＣ
３３  表示部
３４  記憶部
３５  カードＩ／Ｆ
３６  操作部
３７  出力部
３８  音声Ｉ／Ｆ
４１  マイク
４５  プリンタ
４８  外部Ｉ／Ｆ
５１  出退勤管理装置
５４  外部記憶装置（ストレージメモリ）
５５  運行情報データベース（ＤＢ）
５６  運行データＤＢ
５７  アルコール検査結果ＤＢ
５８  日常点検ＤＢ
５９  給油ＤＢ
６５  乗務員カード（メモリカード）
６６  携帯端末
７０  ネットワーク
８０  気象ＤＢ
９３，９５  テーブル
１００  運転日報
１０１ｚ，１０１ｙ，１０１ｘ，１０１ｗ，１０１ｖ  太枠
１０３  チェックボックス
【図１】
2017010213.tif 000003
【図２】
2017010213.tif 000004
【図３】
2017010213.tif 000005
【図４】
2017010213.tif 000006
【図５】
2017010213.tif 000007